(57)【要約】【課題】再送時のパケット受信成功確率を向上させることで伝送品質を維持し、高いスループットを実現する。【解決手段】複数回のマルチユーザ干渉除去処理後に誤り訂正復号された復号データに誤りが検出された場合に、当該誤り訂正復号の結果として得られたビットＬＬＲを格納するビットＬＬＲ記憶部２１０と、初回のマルチユーザ干渉除去処理において、マルチユーザ干渉除去処理の対象となる受信信号が再送パケットである場合に、ビットＬＬＲ記憶部２１０に格納されている当該再送パケットに対応するビットＬＬＲを用いて干渉レプリカ信号を生成し、受信信号から当該干渉レプリカ信号を除去するマルチユーザ干渉除去部２０３と、を備える。【選択図】図２
2014086783.tif 000002
【特許請求の範囲】
【請求項１】
複数の無線送信装置との間でインタリーブ分割多元接続を行う無線受信装置において、
一回の受信処理に対して、複数回繰り返してマルチユーザ干渉除去処理を行うマルチユーザ干渉除去部と、
前記マルチユーザ干渉除去処理後の受信信号のビットＬＬＲに対して誤り訂正復号を行う復号部と、
前記複数回のマルチユーザ干渉除去処理後に前記誤り訂正復号された復号データに誤りが検出された場合に、当該誤り訂正復号の結果として得られたビットＬＬＲを格納するビットＬＬＲ記憶部と、を備え、
前記マルチユーザ干渉除去部は、初回のマルチユーザ干渉除去処理において、マルチユーザ干渉除去処理の対象となる受信信号が再送パケットである場合に、前記ビットＬＬＲ記憶部に格納されている当該再送パケットに対応するビットＬＬＲを用いて干渉レプリカ信号を生成し、受信信号から当該干渉レプリカ信号を除去する、
ことを特徴とする無線受信装置。
【請求項２】
復号対象のパケットが再送パケットである場合には、前記マルチユーザ干渉除去処理後の受信信号のビットＬＬＲと、前記ビットＬＬＲ記憶部に格納されている当該再送パケットに対応するビットＬＬＲとを加算するビットＬＬＲ加算部を備えたことを特徴とする請求項１に記載の無線受信装置。
【請求項３】
前記復号部の後段に前記ビットＬＬＲ加算部を設け、受信データビットに対するビットＬＬＲを前記ビットＬＬＲ記憶部に格納することを特徴とする請求項２に記載の無線受信装置。
【請求項４】
初回のマルチユーザ干渉除去処理において、データ復調用のチャネル推定処理の対象となる受信信号が再送パケットである場合に、前記ビットＬＬＲ記憶部に格納されている当該再送パケットに対応するビットＬＬＲを用いて、チャネル推定を行うチャネル推定部を備えたことを特徴とする請求項１から３のいずれか１項に記載の無線受信装置。
【請求項５】
複数の無線送信装置との間でインタリーブ分割多元接続を行う無線受信方法であって、
一回の受信処理に対して、複数回繰り返してマルチユーザ干渉除去処理を行うマルチユーザ干渉除去ステップと、
前記マルチユーザ干渉除去処理後の受信信号のビットＬＬＲに対して誤り訂正復号を行う復号ステップと、
前記複数回のマルチユーザ干渉除去処理後に前記誤り訂正復号された復号データに誤りが検出された場合に、当該誤り訂正復号の結果として得られたビットＬＬＲを記憶手段に格納するビットＬＬＲ記憶ステップと、含み、
前記マルチユーザ干渉除去ステップにおいては、初回のマルチユーザ干渉除去処理において、マルチユーザ干渉除去処理の対象となる受信信号が再送パケットである場合に、前記記憶手段に格納されている当該再送パケットに対応するビットＬＬＲを用いて干渉レプリカ信号を生成し、受信信号から当該干渉レプリカ信号を除去する、
ことを特徴とする無線受信方法。
【発明の詳細な説明】
【技術分野】
【０００１】
本発明は、インタリーブ分割多元接続（Interleave-Division Multiple Access：ＩＤＭＡ）を行う無線受信装置および無線受信方法に関する。
【背景技術】
【０００２】
移動通信の技術分野においては、限られた周波数資源を複数のユーザ間で効率的に利用するために、高度な多元接続技術が研究されている。従来の周波数分割多元接続（Frequency-Division Multiple Access：ＦＤＭＡ）、時間分割多元接続（Time-Division Multiple Access：ＴＤＭＡ）及び符号分割多元接続方式（Code-Division Multiple Access：ＣＤＭＡ）の他に、最近では時間及び周波数領域を効率的に利用するマルチキャリア（Multi Carrier：ＭＣ）−ＣＤＭＡ、直交周波数分割多元接続（Orthogonal Frequency-Division Multiple Access：ＯＦＤＭＡ）、また空間的な処理により効率化を行う空間分割多元接続（Spatial-Division Multiple Access：ＳＤＭＡ）などが研究されている。
【０００３】
又、近年、直交性を有する信号波形でユーザ分離を行うのではなく、低符号化率誤り訂正符号とユーザごとに異なるインタリーブの縦続接続で行うインタリーブ分割多元接続（ＩＤＭＡ）が検討されている。ＩＤＭＡは、ユーザ間の直接的な直交性はないが、伝搬特性のランダム化、ユーザ識別用インタリーブ、低符号化率誤り訂正符号、及びそれらの相乗的な擬似直交性を引き出す繰り返し受信により、各ユーザ信号を効率良く分離できる。
【０００４】
又、複数の送受信アンテナを用いて信号ストリームを空間多重するＭＩＭＯ（Multiple Input Multiple Output）伝送に対してＩＤＭＡを拡張したＭＩＭＯ−ＩＤＭＡも検討されている。従来のＭＩＭＯ−ＩＤＭＡに関する検討では、受信機において空間多重されたストリームの分離と遅延波成分の分離抽出を同時に行うため、周波数選択性フェージング環境では、収容できるユーザ数が減少するという問題があった。この問題を解決するために、直交周波数分割多重（Orthogonal Frequency Division Multiplexing：ＯＦＤＭ）とＩＤＭＡを組み合わせたＯＦＤＭ−ＩＤＭＡが検討されており、周波数利用効率が高く、マルチパス環境においてもシステム容量を維持できる。さらに、ＯＦＤＭ−ＩＤＭＡをＭＩＭＯへ拡張した“ＭＩＭＯ−ＯＦＤＭ  ＩＤＭＡ”も検討されている。“ＭＩＭＯ−ＯＦＤＭ  ＩＤＭＡ”は、周波数と空間の両方においてダイバーシチ効果を得ることができ、最も優れた伝送特性を実現できる。
【先行技術文献】
【非特許文献】
【０００５】
【非特許文献１】C. Novac, F. Hlawatsch, and G. Matz, “MIMO-IDMA: uplink multiuser MIMO communications using interleave-division multiple access and low-complexity iterative receivers,” IEEE ICASSP, vol. 3, pp. III225-228, Apr. 2007.
【非特許文献２】式田潤、須山聡、鈴木博、府川和彦，“MIMO-OFDM IDMAにおける繰り返しマルチユーザ検出”，信学技報，RCS2009-42，2009年6月
【発明の概要】
【発明が解決しようとする課題】
【０００６】
しかし、上述した従来のＩＤＭＡ技術では、以下に示す課題がある。
【０００７】
ＩＤＭＡにより無線端末装置から基地局装置にパケットを送信し、基地局装置が復調処理を行った際に、誤りが検出された場合には、基地局装置は、ＮＡＣＫ信号を無線端末装置に返し、再送を要求する。無線端末装置は、ＮＡＣＫ信号を受信すると、パケットを再送する。このとき、ＩＤＭＡではユーザ間で非直交周波数を用いるので、無線端末装置から再送されたパケットは、初送時と同様に電波干渉の影響により、基地局装置で受信できない可能性がある。
【０００８】
もしも基地局装置が無線端末装置から再送されたパケットを受信できないと、再送処理が再び行われるため、他ユーザが新しいパケットを送信する場合にはユーザ間の電波干渉が増加し、伝送品質が劣化する。あるいは、伝送品質を維持するために、他ユーザが新しいパケットを送信しない場合には、再送パケットの影響で伝送効率が低下する。
【０００９】
本発明は、このような事情を考慮してなされたもので、再送時のパケット受信成功確率を向上させることで伝送品質を維持し、高いスループットを実現できる無線受信装置および無線受信方法を提供することを課題とする。
【課題を解決するための手段】
【００１０】
上記の課題を解決するために、本発明に係る無線受信装置は、複数の無線送信装置との間でインタリーブ分割多元接続を行う無線受信装置において、一回の受信処理に対して、複数回繰り返してマルチユーザ干渉除去処理を行うマルチユーザ干渉除去部と、前記マルチユーザ干渉除去処理後の受信信号のビットＬＬＲに対して誤り訂正復号を行う復号部と、前記複数回のマルチユーザ干渉除去処理後に前記誤り訂正復号された復号データに誤りが検出された場合に、当該誤り訂正復号の結果として得られたビットＬＬＲを格納するビットＬＬＲ記憶部と、を備え、前記マルチユーザ干渉除去部は、初回のマルチユーザ干渉除去処理において、マルチユーザ干渉除去処理の対象となる受信信号が再送パケットである場合に、前記ビットＬＬＲ記憶部に格納されている当該再送パケットに対応するビットＬＬＲを用いて干渉レプリカ信号を生成し、受信信号から当該干渉レプリカ信号を除去する、ことを特徴とする。
【００１１】
本発明に係る無線受信装置において、復号対象のパケットが再送パケットである場合には、前記マルチユーザ干渉除去処理後の受信信号のビットＬＬＲと、前記ビットＬＬＲ記憶部に格納されている当該再送パケットに対応するビットＬＬＲとを加算するビットＬＬＲ加算部を備えたことを特徴とする。
【００１２】
本発明に係る無線受信装置において、前記復号部の後段に前記ビットＬＬＲ加算部を設け、受信データビットに対するビットＬＬＲを前記ビットＬＬＲ記憶部に格納することを特徴とする。
【００１３】
本発明に係る無線受信装置においては、初回のマルチユーザ干渉除去処理において、データ復調用のチャネル推定処理の対象となる受信信号が再送パケットである場合に、前記ビットＬＬＲ記憶部に格納されている当該再送パケットに対応するビットＬＬＲを用いて、チャネル推定を行うチャネル推定部を備えたことを特徴とする。
【００１４】
本発明に係る無線受信方法は、複数の無線送信装置との間でインタリーブ分割多元接続を行う無線受信方法であって、一回の受信処理に対して、複数回繰り返してマルチユーザ干渉除去処理を行うマルチユーザ干渉除去ステップと、前記マルチユーザ干渉除去処理後の受信信号のビットＬＬＲに対して誤り訂正復号を行う復号ステップと、前記複数回のマルチユーザ干渉除去処理後に前記誤り訂正復号された復号データに誤りが検出された場合に、当該誤り訂正復号の結果として得られたビットＬＬＲを記憶手段に格納するビットＬＬＲ記憶ステップと、含み、前記マルチユーザ干渉除去ステップにおいては、初回のマルチユーザ干渉除去処理において、マルチユーザ干渉除去処理の対象となる受信信号が再送パケットである場合に、前記記憶手段に格納されている当該再送パケットに対応するビットＬＬＲを用いて干渉レプリカ信号を生成し、受信信号から当該干渉レプリカ信号を除去する、ことを特徴とする。
【発明の効果】
【００１５】
本発明によれば、初回のマルチユーザ干渉除去処理であっても、再送パケットによる干渉信号を一部でも除去することができるので、受信ＳＩＮＲを改善することができる。これにより、再送時のパケット受信成功確率を向上させることで伝送品質を維持し、高いスループットを実現できるという効果が得られる。
【図面の簡単な説明】
【００１６】
【図１】本発明の一実施形態に係る無線端末装置１の概略構成図である。
【図２】本発明の実施例１に係る基地局装置２の概略構成図である。
【図３】本発明の実施例２に係る基地局装置２の概略構成図である。
【図４】本発明の実施例３に係る基地局装置２の概略構成図である。
【発明を実施するための形態】
【００１７】
以下、図面を参照し、本発明の実施形態について説明する。
【実施例１】
【００１８】
上り回線（端末から基地局へ向う方向の回線）でＩＤＭＡ伝送を行う移動通信システムにおいて、各ユーザ（ユーザ数はＫ）の無線端末装置はＮＴ本（ＮＴは正の整数）の送信アンテナを有し、それら無線端末装置は同時に同一周波数チャネルを用いて基地局装置に無線信号を送信する。基地局装置は、ＮＲ本（ＮＲは正の整数）の受信アンテナを有し、ＮＲ本の受信アンテナを用いてそれら無線端末装置から送信された無線信号を受信する。なお、基地局装置において各ユーザからの受信タイミング偏差は無いと想定する。
【００１９】
図１は、本発明の一実施形態に係る第ｋユーザ（０≦ｋ≦Ｋ−１）の無線端末装置１の概略構成図である。図１には、無線端末装置１が有する機能のうち、ＩＤＭＡ送信機の機能を示している。
【００２０】
図１において、無線端末装置１は、送信信号生成部１０１により送信信号系列を生成する。送信信号系列は、直並列変換部１０２により、空間多重されるストリームに分割される。各ストリームは、さらにＭ個のＩＤＭストリームに分割される。空間多重ストリーム数、およびＩＤＭストリーム数は、多重数・符号化・インタリーバ・送信電力設定部１０８により制御される。各ストリームに分割された送信信号系列は、誤り訂正符号器（符号化部）１０３により低符号化率の誤り訂正符号を用いて符号化される。符号化されたビット系列は、ユーザ毎、且つストリーム毎に異なるインタリーバ処理部１０４により並び替えられ、変調信号生成部１０５により変調信号にマッピングされ、送信電力増幅部１０６により送信電力が制御された上で送信アンテナ１０７から送信される。
【００２１】
なお、送信時に用いるインタリーブパタンは、送信毎に切り替えて使用しても良い。これにより、前回送信時とのダイバーシチゲインを最大化することができる。
【００２２】
また、図１の無線端末装置１では、時間領域のＩＤＭＡ信号として無線送信される構成としているが、変調信号をサブキャリアにマッピングし、逆フーリエ変換（ＩＦＦＴ）により時間信号に変換され、ガード・インターバル（ＧＩ）が挿入された後に無線送信される、ＯＦＤＭ−ＩＤＭＡの構成としても良い。
【００２３】
また、図１の無線端末装置１では、空間多重ストリームが異なる送信アンテナから送信される構成としているが、各空間多重ストリームに異なるプリコーディング処理を施し、各空間多重ストリームを全送信アンテナから送信する構成であっても良い。
【００２４】
図２は、本発明の実施例１に係る基地局装置２の概略構成図である。図２には、基地局装置２が有する機能のうち、ＩＤＭＡ受信機の機能を示している。
【００２５】
図２において、受信アンテナ２０１は、無線端末装置１から送信された信号を受信する。受信電力増幅部２０２は、ＮＲ本の受信アンテナ２０１で受信された各受信信号の電力を増幅する。受信アンテナ２０１での受信信号には、複数のユーザ、または複数のレイヤの信号が多重されており、初送パケットまたは再送パケットが含まれる。
【００２６】
以下では、図２に示す基地局装置２のＩＤＭＡ受信機の機能における繰り返しマルチユーザ干渉除去処理の動作を説明する。一回の受信処理に対して、Ｎ回（Ｎは任意に設定可能なパラメータ）繰り返してマルチユーザ干渉除去処理を行うものとする。
【００２７】
［チャネル推定部］
（初回のマルチユーザ干渉除去処理時）
チャネル推定部２１９は、初回のマルチユーザ干渉除去処理においては、データ復調用のチャネル推定処理（以下、単にチャネル推定と称する）の対象となる受信信号が初送パケットである場合には、受信電力増幅部２０２から入力された受信信号から、既知のパイロット信号を用いて、チャネル推定を行う。一方、チャネル推定の対象となる受信信号が再送パケットである場合には、チャネル推定部２１９は、受信電力増幅部２０２から入力された受信信号から、既知のパイロット信号と、ビット毎の対数尤度比（Log Likelihood Ratio：ＬＬＲ）用のインタリーバ処理部（ビットＬＬＲ用インタリーバ処理部）２１４から入力されたビット毎のＬＬＲ（ビットＬＬＲ）とを用いて、チャネル推定を行う。このビットＬＬＲ用インタリーバ処理部２１４から入力されたビットＬＬＲは、チャネル推定の対象となる再送パケットに関して前回の受信時（初送時または再送時）に復号され、ビットＬＬＲ記憶部２１０に格納されたものである。既知のパイロット信号と、ビットＬＬＲ用インタリーバ処理部２１４から入力されたビットＬＬＲとの両方を用いてチャネル推定を行うことにより、チャネル推定精度の向上が期待できる。なお、チャネル推定の対象となる受信信号が再送パケットである場合に、既知のパイロット信号のみを用いてチャネル推定を行っても良い。
【００２８】
（２回目以降のマルチユーザ干渉除去処理時）
チャネル推定部２１９は、２回目以降のマルチユーザ干渉除去処理においては、ビットＬＬＲ用インタリーバ処理部２１４から入力されたビットＬＬＲを用いて、初回のマルチユーザ干渉除去処理時のチャネル推定結果を更新する。このビットＬＬＲ用インタリーバ処理部２１４から入力されたビットＬＬＲは、チャネル推定の対象となる再送パケットに関して復号器（復号部）で復号されたものである。なお、２回目以降のマルチユーザ干渉除去処理において、初回のマルチユーザ干渉除去処理時のチャネル推定結果を更新せず、そのまま初回のマルチユーザ干渉除去処理時のチャネル推定結果を用いても良い。
【００２９】
［マルチユーザ干渉除去部］
マルチユーザ干渉除去部２０３は、複数の無線端末装置間で発生する電波干渉の結果である干渉レプリカ信号を生成し、受信信号から干渉レプリカ信号を除去する。
【００３０】
（初回のマルチユーザ干渉除去処理時）
マルチユーザ干渉除去部２０３は、初回のマルチユーザ干渉除去処理においては、マルチユーザ干渉除去処理の対象となる受信信号が再送パケットである場合には、ビットＬＬＲ用インタリーバ処理部２１４から入力されたビットＬＬＲを用いて干渉レプリカ信号を生成し、受信信号から干渉レプリカ信号を除去する。このビットＬＬＲ用インタリーバ処理部２１４から入力されたビットＬＬＲは、マルチユーザ干渉除去処理の対象となる再送パケットに関して前回の受信時（初送時または再送時）に復号され、ビットＬＬＲ記憶部２１０に格納されたものである。これにより、複数の無線端末装置からの受信信号に再送パケットが含まれている場合には、初回のマルチユーザ干渉除去処理であっても、再送パケットによる干渉信号を一部でも除去することができるので、受信ＳＩＮＲを改善する効果が得られる。さらに、複数の無線端末装置からの受信信号に初送パケットと再送パケットが混在している場合には、初回のマルチユーザ干渉除去処理であっても、再送パケットによる干渉信号を一部でも除去することができるので、初送パケットに係る受信ＳＩＮＲも改善する効果が得られる。
【００３１】
一方、初回のマルチユーザ干渉除去処理において、マルチユーザ干渉除去処理の対象となる受信信号が初送パケットである場合には、まだ復号されていないので、干渉レプリカ信号を生成することができない。
【００３２】
なお、ビットＬＬＲ記憶部２１０に格納されるビットＬＬＲの情報を用いて、有意な干渉除去ができる干渉レプリカ信号を生成できるか否かを判定し、有意な干渉除去ができる干渉レプリカ信号を生成できる場合にのみ干渉レプリカ信号を生成するようにしても良い。これにより、演算量の削減を図ることができる。その判定の指標としては、ビットＬＬＲの絶対値の平均値を用いることができる。また、推定したチャネルのノルムを用いて、有意な干渉除去ができる干渉レプリカ信号を生成できるか否かを判定しても良い。
【００３３】
（２回目以降のマルチユーザ干渉除去処理時）
マルチユーザ干渉除去部２０３は、２回目以降のマルチユーザ干渉除去処理においては、ビットＬＬＲ用インタリーバ処理部２１４から入力されたビットＬＬＲを用いて干渉レプリカ信号を生成し、受信信号から干渉レプリカ信号を除去する。このビットＬＬＲ用インタリーバ処理部２１４から入力されたビットＬＬＲは、マルチユーザ干渉除去処理の対象となる再送パケットに関して復号器（復号部）で復号されたものである。
【００３４】
［デインタリーバ処理部］
デインタリーバ処理部２０５は、マルチユーザ干渉除去部２０３により干渉レプリカ信号が除去された信号を、ユーザ毎のインタリーブパタンを用いてデインタリーブ処理を行う。ユーザ毎のインタリーブパタンは、多重数・符号化・インタリーバ設定部２０８から設定される。
【００３５】
［ビットＬＬＲ加算部］
ビットＬＬＲ加算部２０６は、復号対象のパケットが再送パケットである場合には、デインタリーバ処理部２０５から入力されたビットＬＬＲと、ビットＬＬＲ記憶部２１０に格納されている当該再送パケットに対応するビットＬＬＲとを加算する。ビットＬＬＲ記憶部２１０に格納されているビットＬＬＲは、切替部２１２を介して、ビットＬＬＲ加算部２０６に入力される。切替部２１２は、復号対象のパケットが再送パケットである場合にのみ、ビットＬＬＲ記憶部２１０に格納されているビットＬＬＲをビットＬＬＲ加算部２０６に出力する。
【００３６】
ビットＬＬＲ加算部２０６におけるビットＬＬＲ加算方法としては、以下の二通りの方法Ａ−１，Ａ−２が挙げられる。
（方法Ａ−１）毎回のマルチユーザ干渉除去処理において、デインタリーバ処理部２０５から入力されたビットＬＬＲと、ビットＬＬＲ記憶部２１０に格納されているビットＬＬＲとを加算する。
（方法Ａ−２）初回のマルチユーザ干渉除去処理においてのみ、デインタリーバ処理部２０５から入力されたビットＬＬＲと、ビットＬＬＲ記憶部２１０に格納されているビットＬＬＲとを加算する。
【００３７】
［復号部］
復号部２０７は、ビットＬＬＲ加算部２０６から入力されたビットＬＬＲと、復号対象ユーザが用いる符号化の情報とを用いて誤り訂正復号を行う。復号対象ユーザが用いる符号化の情報は、多重数・符号化・インタリーバ設定部２０８から入力される。復号部２０７は、誤り訂正復号の結果として得られたビットＬＬＲを、ビットＬＬＲ用インタリーバ処理部２１４へ入力する。復号部２０７から出力されたビットＬＬＲは、切替部２１２を介して、ビットＬＬＲ用インタリーバ処理部２１４へ入力される。切替部２１２は、ビットＬＬＲ用インタリーバ処理部２１４に対して、復号部２０７から出力されたビットＬＬＲを入力するか、又は、ビットＬＬＲ記憶部２１０に格納されているビットＬＬＲを入力するかを切り替える。
【００３８】
［ビットＬＬＲ用インタリーバ処理部］
ビットＬＬＲ用インタリーバ処理部２１４は、ユーザ毎のインタリーブパタンに従って、ビットＬＬＲの順序を入れ替える。ユーザ毎のインタリーブパタンは、多重数・符号化・インタリーバ設定部２０８から入力される。
【００３９】
以上が、繰り返し（Ｎ回繰り返し）マルチユーザ干渉除去処理の動作の説明である。
【００４０】
次に、マルチユーザ干渉除去処理の繰り返し回数が規定回数（Ｎ回）に達した後の動作を説明する。
【００４１】
［並直列変換部］
並直列変換部２０９は、多重数に基づいて、復号部２０７で生成された受信ビット系列を並直列変換する。復号部２０７は、誤り訂正復号の結果として得られたビットＬＬＲから受信ビット系列を生成する。
【００４２】
［誤り検出部］
誤り検出部２１５は、並直列変換部２０９から出力された復号データに対して誤り検出を行う。このとき、誤りが検出された場合には、復号部２０７により当該誤り訂正復号の結果として得られたビットＬＬＲをビットＬＬＲ記憶部２１０に格納する。さらに、制御信号生成部２１６に対して再送要求信号の生成を要求する。これにより、再送要求信号が、制御信号生成部２１６により生成され、該当する無線端末装置１に送信される。
【００４３】
一方、復号データの誤り検出において誤りが検出されなかった場合には、ビットＬＬＲ記憶部２１０に格納されている該当のビットＬＬＲを削除する。
【００４４】
なお、上述の実施例では、ビットＬＬＲ記憶部２１０にビットＬＬＲを格納したが、ビットＬＬＲ記憶部２１０に格納する情報は実質的にビットＬＬＲを示すビットＬＬＲ情報であればよい。ビットＬＬＲに変換可能な情報として、例えば、受信信号の期待値（tanh（LLR／２）））をビットＬＬＲ記憶部２１０に格納してもよい。
【実施例２】
【００４５】
図３は、本発明の実施例２に係る基地局装置２の概略構成図である。図３には、基地局装置２が有する機能のうち、ＩＤＭＡ受信機の部分的な機能を示している。図３において図２の各部に対応する部分には同一の符号を付している。
【００４６】
本実施例２では、復号部２０７で受信データビットに対するビットＬＬＲを算出した後で、ビットＬＬＲ加算部２０６によりビットＬＬＲ記憶部２１０に格納されているビットＬＬＲと加算している。ビットＬＬＲ加算部２０６から出力されたビットＬＬＲは、符号化部２２０に入力される。符号化部２２０は、符号化情報に基づいて符号化を行う。符号化情報は、多重数・符号化・インタリーバ設定部２０８から入力される。符号化されたビットＬＬＲは、ビットＬＬＲ用インタリーバ処理部２１４に入力される。また、復号データに誤りが検出された場合には、ビットＬＬＲ加算部２０６の出力であるビットＬＬＲをビットＬＬＲ記憶部２１０に格納する。
【００４７】
本実施例２では、受信データビットに対するビットＬＬＲをビットＬＬＲ記憶部２１０に格納する。このため、例えば、パケットの初送時と再送時で使用する符号の種類又は符号化率が異なる場合においても適用できる。また、本実施例２においては、ビットＬＬＲ記憶部２１０に格納されるビット数は、データビット数に一致するので、特に符号化率の低い符号を使用する場合には、ビットＬＬＲ記憶部２１０のメモリ使用量の削減、および干渉レプリカ信号の生成にかかる演算量の削減が期待できる。
【実施例３】
【００４８】
図４は、本発明の実施例３に係る基地局装置２の概略構成図である。図４には、基地局装置２が有する機能のうち、ＩＤＭＡ受信機の部分的な機能を示している。図４において図２の各部に対応する部分には同一の符号を付している。
【００４９】
本実施例３では、誤り訂正符号として直列連接符号を用いる。又、本実施例３では、直列連接符号において、外符号として畳込み符号、内符号として繰り返し符号を用いている。このような誤り訂正符号の構成は、例えば、ＩＤＭＡなどにおいて、符号化率の低い誤り訂正符号を生成する目的で使用される。
【００５０】
図４において、内符号復号部２０７ａで受信データビットに対するビットＬＬＲを算出した後で、ビットＬＬＲ加算部２０６によりビットＬＬＲ記憶部２１０に格納されているビットＬＬＲと加算し、この後、外符号復号部２０７ｂで受信ビット系列を生成する。また、ビットＬＬＲ加算部２０６から出力されるビットＬＬＲは、内符号化部２２０ａに入力される。内符号化部２２０ａは、符号化情報に基づいて符号化を行う。符号化情報は、多重数・符号化・インタリーバ設定部２０８から入力される。符号化されたビットＬＬＲは、ビットＬＬＲ用インタリーバ処理部２１４に入力される。また、復号データに誤りが検出された場合には、ビットＬＬＲ加算部２０６の出力であるビットＬＬＲをビットＬＬＲ記憶部２１０に格納する。
【００５１】
以上、本発明の実施形態について図面を参照して詳述してきたが、具体的な構成はこの実施形態に限られるものではなく、本発明の要旨を逸脱しない範囲の設計変更等も含まれる。
【符号の説明】
【００５２】
１…無線端末装置、２…基地局装置、２０１…受信アンテナ、２０２…受信電力増幅部、２０３…マルチユーザ干渉除去部、２０４…ユーザ復号部、２０５…デインタリーバ処理部、２０６…ビットＬＬＲ加算部、２０７…復号部、２０７ａ…内符号復号部、２０７ｂ…外符号復号部、２０８…多重数・符号化・インタリーバ設定部、２０９…並直列変換部、２１０…ビットＬＬＲ記憶部、２１１…ユーザ切替部、２１２…切替部、２１３…ユーザビットＬＬＲ用インタリーバ処理部、２１４…ビットＬＬＲ用インタリーバ処理部、２１５…誤り検出部、２１６…制御信号生成部、２１７…送信電力増幅部、２１８…送信アンテナ、２１９…チャネル推定部、２２０…符号化部、２２０ａ…内符号符号化部
【図１】
2014086783.tif 000003
【図２】
2014086783.tif 000004
【図３】
2014086783.tif 000005
【図４】
2014086783.tif 000006